(57)【要約】印刷画像を検査するためのシステムであって、評価ユニット、表示装置および画像センサを有し、画像センサは印刷画像を撮影し、この印刷画像は、印刷機によって被印刷体上に得られた一続きの印刷画像に属し、評価ユニットは撮影された画像と相関のあるデータを受け取り、かつ前もって撮影された画像もしくは基準画像の記憶されたデータと比較して評価する、印刷画像を検査するためのシステムに関する。その表示装置は、評価ユニットによりさまざまに制御可能な、好ましくは同時に表示される、複数の区域を伴ったグラフィック機能をもつ表示面を有し、第１の区域は現在撮影された画像、前もって撮影された複数の画像のうちの１つまたは基準画像を選択的に表示し、第２の区域は評価ユニットの設定および／または操作および／または印刷機の設定および／または操作のための入力フィールドおよび／または操作フィールドを有する。
2006525145.tif 000002
【特許請求の範囲】
【請求項１】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、評価ユニット（０２）が、許容限界を確定することができる判定すべき印刷画像（０４）の品質特徴について多くの種々の感度段階を有し、その際、適当な感度段階が該第２の区域（１１）における入力フィールド（１６；１７）および／または操作フィールド（１８；１９）を用いて設定可能であることを特徴とする、印刷画像を検査するためのシステム。
【請求項２】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示し、その際、評価ユニット（０２）は少なくとも１つの基準画像の探求および／または確定のための学習モードならびに現在撮影された画像と基準画像との比較のための作業モードを有し、その場合、表示装置（０１）はその第１の区域（０９）に基準画像からの偏差を表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、表示面（０８）の第２の区域（１１）にて学習モードで評価すべき印刷画像（０４）の数が設定可能であることを特徴とする、印刷画像を検査するためのシステム。
【請求項３】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、第１の区域（０９）と第２の区域（１１）が表示面（０８）に同時に表示されており、その際、表示装置（０１）が第１の区域（０９）に一続きのすばやく次々と続いて来る数多くの画像を表示することを特徴とする、印刷画像を検査するためのシステム。
【請求項４】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、表示装置（０１）および／または評価ユニット（０２）が少なくとも２つの操作モードを有し、その際、これら操作モードは、それぞれの区域（０９；１１）に表示される画像および／または入力フィールド（１６；１７）および／または操作フィールド（１８；１９）の数で異なっていることを特徴とする、印刷画像を検査するためのシステム。
【請求項５】
表示装置（０１）がその表示面（０８）に第３の区域（１２）を有し、その際、この第３の区域（１２）が少なくとも評価ユニット（０２）の名称および／または現在印刷機（０６）で処理されているジョブを表示することを特徴とする、請求項１，２，３または４記載のシステム。
【請求項６】
表示装置（０１）がその表示面（０８）に第４の区域（１３）を有し、その際、この第４の区域（１３）が少なくとも１つのメニューを有し、このメニューは選択されると開くメニュー構造を有し、このメニュー構造は評価ユニット（０２）の操作および／または設定および／または印刷機（０６）の操作および／または設定のための少なくとも１つの機能を有することを特徴とする、請求項５記載のシステム。
【請求項７】
表示装置（０１）がその表示面（０８）に第５の区域（１４）を有し、その際、この第５の区域（１４）が評価ユニット（０２）および／または印刷機（０６）の少なくとも１つの状態を表示することを特徴とする、請求項６記載のシステム。
【請求項８】
表示面（０８）が第１の区域（０９）と第２の区域（１１）を隣り合せに配置して表示することを特徴とする、請求項１，２，３または４記載のシステム。
【請求項９】
表示面（０８）が該表示面のさまざまに制御可能な区域（０９；１１；１２；１３；１４）を同時に表示することを特徴とする、請求項１，２または４から８までのいずれか１項に記載のシステム。
【請求項１０】
表示面（０８）が第３の区域（１２）を該表示面の上縁部に、第４の区域（１３）を第３の区域（１２）の下に、第５の区域（１４）を該表示面の下縁部に、かつ第１の区域（０９）と第２の区域（１１）を第４の区域（１３）と第５の区域（１４）の間に表示することを特徴とする、請求項７記載のシステム。
【請求項１１】
第３、第４および第５の区域（１２；１３；１４）がそれぞれセル形に形成されていることを特徴とする、請求項７記載のシステム。
【請求項１２】
少なくとも第１の区域（０９）がビデオ機能を有することを特徴とする、請求項１，２，３または４記載のシステム。
【請求項１３】
表示装置（０１）が第１の区域（０９）に一続きのすばやく次々と続いて来る数多くの画像を表示することを特徴とする、請求項１，２または４記載のシステム。
【請求項１４】
表示面（０８）が少なくとも第４の区域（１３）および第５の区域（１４）を継続的に表示することを特徴とする、請求項７記載のシステム。
【請求項１５】
表示面（０８）が評価ユニット（０２）および／または印刷機（０６）の操作および／または設定のための少なくとも１つのタッチセンス式のフィールドを有することを特徴とする、請求項１，２，３または４記載のシステム。
【請求項１６】
表示装置（０１）および／または評価ユニット（０２）が少なくとも２つの操作モードを有し、その際、これら操作モードは表示面（０８）の異なる構成が、および／または評価ユニット（０２）および／または印刷機（０６）の表示および／または操作および／または設定の範囲が異なっていることを特徴とする、請求項１，２または３記載のシステム。
【請求項１７】
現在設定されている操作モードからその表示に関してより大きな範囲の操作モードへの変更が正当性の証明に依存することを特徴とする、請求項４または１６記載のシステム。
【請求項１８】
評価ユニット（０２）が少なくとも１つの基準画像の探求および／または確定のための学習モードならびに現在撮影された画像と基準画像との比較のための作業モードを有し、その場合、表示装置（０１）はその第１の区域（０９）に基準画像からの偏差を表示することを特徴とする、請求項１，３または４記載のシステム。
【請求項１９】
表示面（０８）の第２の区域（１１）にて学習モードで評価すべき印刷画像（０４）の数が設定可能であることを特徴とする、請求項１８記載のシステム。
【請求項２０】
評価ユニット（０２）が学習モードの終了後に自動的に作業モードへと変わることを特徴とする、請求項２または１８記載のシステム。
【請求項２１】
記憶装置（２６）が備えられており、その際、該記憶装置（２６）は撮影された複数の画像の少なくとも部分のデータを記憶することを特徴とする、請求項１，２，３または４記載のシステム。
【請求項２２】
記憶装置（２６）に記憶された画像が選択可能であり、かつ表示面（０８）の第１の区域（０９）に表示可能であることを特徴とする、請求項２１記載のシステム。
【請求項２３】
表示面（０８）が、印刷機（０６）に付属する制御場所の構成要素であることを特徴とする、請求項１，２，３または４記載のシステム。
【請求項２４】
表示面（０８）の第４の区域（１３）にてメニューから選択可能な機能が、印刷機（０６）を用いて処理すべき新たなジョブの調整あるいは現行のジョブにおける処理および変化に関連することを特徴とする、請求項６記載のシステム。
【請求項２５】
表示面（０８）の第２の区域（１１）がメニューで行なわれた選択に応じて、評価ユニット（０２）の設定および／または操作のための、および／または印刷機（０６）の設定および／または操作のための入力フィールド（１６；１７）および／または操作フィールド（１８；１９）の固定された順序をプリセットすることを特徴とする、請求項２４記載のシステム。
【請求項２６】
表示面（０８）に表示される入力フィールド（１６；１７）および／または操作フィールド（１８；１９）の順序が、現在設定されている操作モードに依存することを特徴とする、請求項２５記載のシステム。
【請求項２７】
入力フィールド（１６；１７）および／または操作フィールド（１８；１９）における誤って行なわれた入力および／または表示面（０８）の第４の区域（１３）に表示されたメニューからの誤った選択が取消し可能であることを特徴とする、請求項１，２，３，４または６記載のシステム。
【請求項２８】
表示面（０８）が少なくとも１つの情報の表示に色を有することを特徴とする、請求項１，２，３または４記載のシステム。
【請求項２９】
表示面（０８）が種々の情報の表示に種々の色を有することを特徴とする、請求項２８記載のシステム。
【請求項３０】
表示面（０８）がその第１の区域（０９）にて現在撮影された複数の画像を次々と表示しかつ、現在撮影された１つの画像が該画像の判定すべき品質に関しての少なくとも１つの前もって設定された許容限界を超えると直ちにこの表示を止めることを特徴とする、請求項１，２，３または４記載のシステム。
【請求項３１】
表示面（０８）がその第１の区域（０９）にて現在撮影された複数の画像の表示を一定の継続時間の経過後に続行することを特徴とする、請求項３０記載のシステム。
【請求項３２】
前記継続時間が設定可能であることを特徴とする、請求項３１記載のシステム。
【請求項３３】
評価ユニット（０２）が、許容限界を確定することができる判定すべき印刷画像（０４）の品質特徴について多くの種々の感度段階を有し、その際、適当な感度段階が第２の区域（１１）における入力フィールド（１６；１７）および／または操作フィールド（１８；１９）を用いて設定可能であることを特徴とする、請求項２，３または４記載のシステム。
【請求項３４】
感度段階が第２の区域（１１）における入力フィールド（１６；１７）および／または操作フィールド（１８；１９）を用いて選択可能であることを特徴とする、請求項１または３３記載のシステム。
【請求項３５】
５〜２０感度段階が用意されていることを特徴とする、請求項１または３３記載のシステム。
【請求項３６】
適当な感度段階が第２の区域（１１）における該感度段階の選択および設定に対して選択的もしくは補完的に、第４の区域（１３）に表示されるメニューを用いて選択可能でありかつ該システムのために設定可能であることを特徴とする、請求項６記載のシステム。
【請求項３７】
マーキング装置が該システムに接続されており、その際、評価ユニット（０２）が、判定すべき印刷画像（０４）の品質についての許容限界の超過が確認された場合に該マーキング装置による該印刷画像（０４）の標識付けを開始することを特徴とする、請求項１，２，３または４記載のシステム。
【請求項３８】
運搬装置が該システムに接続されており、その際、評価ユニット（０２）が、判定すべき印刷画像（０４）の品質についての許容限界の超過が確認された場合に該運搬装置による該印刷画像（０４）の排除を開始することを特徴とする、請求項１，２，３または４記載のシステム。
【請求項３９】
前記開始のための条件が表示面（０８）にて設定可能であることを特徴とする、請求項３７または３８記載のシステム。
【請求項４０】
前記開始のための条件が表示面（０８）にて選択可能であることを特徴とする、請求項３９記載のシステム。
【発明の詳細な説明】
【技術分野】
【０００１】
本発明は、請求項１，２，３または４の上位概念による印刷画像を検査するためのシステムに関する。
【背景技術】
【０００２】
欧州特許出願公開第０  ５５４  ８１１Ａ１号によって印刷機における印刷エラーもしくはその他のエラーを検知するための装置が公知であり、その場合、印刷過程の出口に解像度が異なる少なくとも２台のカメラが巻取紙もしくは枚葉紙の生産方向に前後して配置されており、かつ該カメラのそれぞれの出力信号をコンピュータに伝送し、その場合、該コンピュータにはディスプレイおよびキーボードが接続されており、その場合、生産方向における第１のカメラ、好ましくはその撮像が印刷機の生産速度に同期されているラインカメラ、またはこれに続く第２のカメラ、好ましくはＣＣＤフラットカメラ（ＣＣＤ−Ｆｌａｅｃｈｅｎｋａｍｅｒａ）、より粗い解像度を有し、その場合、生産方向における第１のカメラにより撮影された、巻取紙もしくは枚葉紙の印刷されていないか均一な色で印刷されたゾーンの画像を、生産方向における第２のカメラが生産方向に対して横向きのその移動によって、これらゾーンがもはや全体的に把握されるのではなく、生産方向における第１のカメラによって既にエラーを検出されているゾーンにおける高い解像度でこれら画像が撮影されるように制御し、その場合、第１のカメラもしくは第２のカメラにより撮影された各画像はディスプレイに表示可能でありかつキーボードの操作によってそれぞれ前もって入力された基準画像と比較可能である。
【０００３】
欧州特許出願公開第１  ２９１  ７６７Ａ２号によって印刷機を操作するためのシステムが公知であり、その場合、２つの異なるアプリケーションが該印刷機に割り当てられたモニタ上の２つの異なる大きさのウィンドウに同時に表示されており、その場合、これらウィンドウの１つに印刷用原稿の原本が表示されており、そして他方のウィンドウに印刷機の操作のための機能が表示されている。
【０００４】
米国特許第２００２／００２９７０３Ａ１号によって印刷機を制御するための装置が公知であり、その場合、印刷過程に関連する種々の制御情報および状況情報がパーソナルコンピュータのモニタに表示されており、その場合、印刷ページに関連する状況情報がシンボルの形で表示されている。
【０００５】
独国特許出願公開第４３  ２１  １７９Ａ１号によって印刷技術による機械の運転過程を制御もしくは調整するための方法および装置が公知であり、その場合、少なくとも１つの撮像装置が印刷物の表面に向けられており、その場合、該撮像装置が該印刷物の表面を再現するその画像情報を制御−および調整回路に送り、かつその場合、該制御−および調整回路に接続されたディスプレイに選択的に個別にかもしくは部分画像の形で基準画像、実際画像および差分画像が表示可能であり、その場合、該制御回路の比較装置により探求された、基準画像からの実際画像の許容され得ない偏差の場合に誤差信号が出力可能である。
【０００６】
ヘルムート・テシュナー（Ｈｅｌｍｕｔ  Ｔｅｓｃｈｎｅｒ）著の専門書“オフセットドルックテヒニク（Ｏｆｆｓｅｔｄｒｕｃｋｔｅｃｈｎｉｋ）”，第１０版，１９９７，ファッハシュリフテンフェアラーク（Ｆａｃｈｓｃｈｒｉｆｔｅｎｖｅｒｌａｇ）刊，フェルバッハ（Ｆｅｌｌｂａｃｈ），ＩＳＢＮ  ３−９２１２１７−１４−８にはそのｐ．１０／１０８〜１０／１１７にコントロールセンタ“ハイデルベルク（Ｈｅｉｄｅｌｂｅｒｇ）ＣＰＣ”の実施が記載されている。このコントロールセンタは、印刷機で生産される印刷物の品質監視および品質管理のための計算機援用システムに属する。このコントロールセンタは制御卓の形でかまたは該コントロールセンタに付属するキーボード等の形で、印刷機に取り付けられたインキ出し調節システム（Ｆａｒｂｄｏｓｉｅｒｓｙｓｔｅｍ）を制御するための多くの種々の操作要素を有する。前記品質管理は、濃度計によりまたは分光光度計により行なわれる。このコントロールセンタによりプリンタには、流れ生産から抜き取られた印刷サンプルを検査しかつ操作要素の操作によって必要であると見なされる補正を実施する可能性がもたらされる。
【発明の開示】
【発明が解決しようとする課題】
【０００７】
本発明の課題は、印刷画像を検査するためのシステムを提供することである。
【課題を解決するための手段】
【０００８】
この課題は、本発明によれば請求項１，２，３または４の特徴によって解決される。
【０００９】
本発明によって達成することができる利点は殊に、流れ生産中にサンプルの抜き取りなく作動する、そのパラメータ表示およびその操作インターフェース（Ｂｅｄｉｅｎｕｎｇｓｏｂｅｒｆｌａｅｃｈｅ）にて柔軟にかつ特定用途向けに、好ましくは表示面に組み込まれた入力補助手段（Ｅｉｎｇａｂｅｈｉｌｆｓｍｉｔｔｅｌ）を用いるだけで設定可能でありかつ取り扱いが快適である、印刷画像を検査するためのシステムが提供されることである。そのつどの利用者グループに必要な全ての情報が、明瞭に構造化されてかつ一目でわかりやすく同一の表示面上に表示される。該システムは簡単に制御および調整の課題の実施のために拡張可能である。該システムによる検査中に検出された、印刷機で生産された印刷画像の品質における欠陥は、表示され、好ましくは記録され、かつ必要の場合に該システムによって自動的にこの欠陥のある印刷画像の標識付けまたは排除が行なわれる。
【００１０】
本発明の実施例が図面に示されており、次にこれを詳説する。
【発明を実施するための最良の形態】
【００１１】
唯一の図にはきわめて簡略化された図で表示装置０１、評価ユニット０２、画像センサ０３および、印刷機０６を用いて被印刷体０７上に付与された複数の印刷画像０４が示されている。この印刷機０６は例えば、少なくとも１つの印刷機構を有する輪転印刷機として形成されており、その際、この印刷機構は少なくとも１つの版を有する少なくとも１つの印刷胴（示されていない）および該印刷胴と一緒に作用するブランケット胴２１を有する。このブランケット胴２１は、その軸Ａに対して平行な圧胴２２と向い合わせに据えられており、その場合、この圧胴２２は第２のブランケット胴として形成されていてもよく、このブランケット胴自体は該ブランケット胴に割り当てられた少なくとも１つの別の印刷胴（示されていない）と一緒に作用する。この図に示された例の場合にはブランケット胴２１は一回転ごとにその円周Ｕの方向に２つの印刷画像０４を続けて転写し、その際、その軸方向には３つの印刷画像０４が並べて配置されており、その結果、ブランケット胴２１の一回転ごとにその生産方向Ｐに、運搬方向Ｔにブランケット胴２１と圧胴２２の間を通過させて導かれる被印刷体０７上に合計して６つの印刷画像０４が付与される。
【００１２】
被印刷体０７は、例えば枚葉紙０７または巻取材料（Ｍａｔｅｒｉａｌｂａｈｎ）０７、特に巻取紙０７、である。この場合には印刷機０６は連続的な巻取材料０７上に運搬方向Ｔに相次ぐ一続きの印刷画像０４を印刷するかまたは該印刷機は一続きの枚葉紙０７にそれぞれ少なくとも１つの印刷画像０４を印刷し、その際、これら枚葉紙０７が運搬方向Ｔに運搬される。
【００１３】
画像センサ０３、例えばカラーカメラ０３、特に少なくとも１つのＣＣＤチップを有するディジタル固体カメラ０３はその撮像範囲２３を被印刷体０７に向けており、その際、画像センサ０３の撮像範囲２３は被印刷体０７上に付与された印刷画像０４を少なくとも部分的に複写する。画像センサ０３は例えば、印刷機０６の、被印刷体０７の運搬方向Ｔに最後の印刷機構の出口に配置されている。画像センサ０３は例えば、被印刷体０７の幅Ｂ全体を捕捉し、その場合、被印刷体０７の幅Ｂは該被印刷体の運搬方向Ｔに対して横向きに延びている。画像センサ０３は印刷画像０４の少なくとも部分の、しかしながら好ましくは印刷された被印刷体０７の幅Ｂ全体の、電子的に評価可能な画像を提供し、その際、被印刷体０７の幅Ｂに沿って少なくとも１つの印刷画像０４が被印刷体０７上に付与されている。画像センサ０３は、所望の撮像範囲２３の捕捉に適当な光学装置３３、殊に対物レンズ３３、をそれぞれ有するフラットカメラ０３またはラインカメラ０３として形成されている。画像センサ０３の選択的な装置は、印刷機構のすぐ近くのこの画像センサではなく、それら印刷機０６の１つの後に取り付けられた、該印刷機０６により生産された印刷画像０４を運搬および／または処理する装置または機械（示されていない）が配置されていることである。
【００１４】
殊にプログラム制御される電子計算機０２として形成されておりかつ例えば印刷機０６に属する制御場所に配置されている評価ユニット０２は、撮影された画像と相関のあるデータを画像センサ０３が評価ユニット０２に伝送するかまたは少なくとも呼び出し可能に準備しておくことによって、データ伝送リンク２４、例えばデータ線２４、を経由して該データを受け取る。評価ユニット０２では撮影された画像と相関のあるデータは、その画像が表示装置０１の表示面０８に表示されることができるように処理される。表示装置０１および評価ユニット０２が双方向のデータ伝送リンク３１すなわちデータ線３１を介して相互に接続されているのは好ましい。画像センサ０３、評価ユニット０２および表示装置０１は、被印刷体０７上に施与された印刷画像０４の少なくとも部分を検査するための１つのシステムを一緒に形成している。しかしながら、このシステムの機能は、次になお説明するように制御および調整の課題へも拡張させることができる。
【００１５】
評価ユニット０２には記憶装置２６が割り当てられており、この記憶装置には撮影された複数の画像の少なくとも部分のデータおよび／または撮影された一画像の部分全体にわたるデータを記憶させることができる。記憶されたデータ、少なくとも特定の一画像のデータは、次々と現在撮影された画像のデータと比較する際の基準として使用される。評価ユニット０２と記憶装置２６間の接続は、双方向のデータ伝送リンク２７、例えばデータ線２７である。
【００１６】
評価ユニット０２で実施される、現在撮影された画像のデータと前もって撮影された画像もしくは記憶された基準画像のデータとの比較によって、連続する印刷過程において、例えば相次いで撮影される画像０４における階調上昇を確定することができ、および／または該比較によってどの程度まで印刷画像の見当合せの正しさが得られているか、すなわち第一面刷りと裏刷の間あるいはまた両面印刷物が作製される場合の表側と裏側間の印刷画像または版面の位置における合同の一致を探求することができる。同様にこの比較によってレジスターマークを検査可能である、すなわち、多色印刷の場合の重ね刷り時に各単色が示す前もって設定された精度を検査可能である。階調上昇、見当精度ならびにレジスターマーク精度は、多色刷りにおいて重要な役割を果たす。
【００１７】
さらに印刷画像０４は、該印刷画像０４の特徴を示す識別用の特徴に基づいて、識別用の特徴単独かもしくは識別用の特徴と組み合わせた印刷画像０４と基準画像との比較により、識別用の特徴もしくは識別用の特徴と組み合わせた印刷画像０４が識別用の特徴もしくは印刷画像０４のある特定の等級に属するか否か、識別用の特徴がある特定の幾何学的な輪郭および／または少なくとも１つのさらに別の識別用の特徴に対するある特定の相対的な配置を示すか否かという趣旨で検査されることによって、品質的に判定することができる。この検査は好ましくは誤り許容に進行する、すなわち許容限界の考慮下に判定が行なわれる。
【００１８】
この実施すべき検査が評価ユニット０２で並行するルーチンで、かつ従って実質的に同時に実施される場合は有利である。検査の結果は、検査の基準となる基準値からの現在撮影されかつ検査された画像で確認された偏差を補正するために、制御コマンドの開始に利用することができる。従って評価ユニット０２に少なくとも１つの出力が備えられていてもよく、この出力からデータ伝送リンク２８を経由して制御コマンドが、印刷過程に影響を及ぼす、印刷機０６におけるアクチュエータ２９に伝送される。このようなアクチュエータ２９は例えば、該印刷機構に属するインキング装置もしくは湿し装置、円周方向の見当、横方向の見当または、印刷胴の少なくとも１つに割り当てられたブランケット胴２１に対する印刷胴のための対角調整（Ｄｉａｇｏｎａｌｖｅｒｓｔｅｌｌｕｎｇ）に関連して備えられている。評価ユニット０２の出力は、画像センサ０３のための照明装置（示されていない）、例えば閃光電球を導通状態にするか、作動させるかまたは作動停止させるかに利用することもできる。
【００１９】
表示装置０１は、評価ユニット０２により個別に制御可能な、窓状の複数の区域０９；１１；１２；１３；１４を伴ったグラフィック機能をもつ表示面０８を有し、その場合、第１の区域０９は現在撮影された画像、前もって撮影された画像または基準画像を選択的に表示し、第２の区域１１は少なくとも１つの入力フィールド１６；１７および／または操作フィールド１８；１９を評価ユニット０２の設定および／または操作のために、および／または印刷機０６の設定および／または操作のために有する。入力フィールド１６；１７および／または操作フィールド１８；１９を用いて、このシステムが少なくとも１つのパラメータに関して設定可能であり、および／または該システムにより行なわれる機能が呼び出し可能であり、および／または評価ユニット０２により中断（ａｂｓｅｔｚｅｎ）すべき制御コマンドが該システムに入力可能であるかもしくは前もって設定された多くの制御コマンドのなかから選択可能である。
【００２０】
例えば印刷機０６に付属する制御場所の構成要素である表示面０８に、その構造化によって相互に無関係に操作可能な、すなわち評価ユニット０２によって種々の情報内容を用いて同時に制御可能な区域０９；１１；１２；１３；１４、一目でわかりかつ快適に使用可能なユーザインターフェースが得られ、このユーザインターフェース上では少なくとも印刷画像０４の検査のために重要な情報が表示され、その際、該システムへの少なくとも１つの指示によって現在表示される情報に反応するために同じ表示面０８上で区域０９；１１；１２；１３；１４のうちの少なくとも１つに同時に少なくとも１つの操作要素が定められており、その場合、この指示は、少なくとも１つの基準値からの確認された偏差に対して効果があるという意味で、印刷機０６により実施される過程に影響を及ぼす。表示面０８上での情報の表示に色、殊に種々の情報のために種々の色、を使用することは有利である。
【００２１】
表示装置０１および評価ユニット０２は、第１の区域０９に次々と現在撮影された画像が表示されるように形成されていることができる。現在撮影された画像によって、複写された印刷画像０４が、該印刷画像の判定すべき品質に関しての少なくとも１つの前もって設定された許容限界を超えていることがわかると直ちに、この画像の表示が、次々と撮影される複数の画像の表示が止まることによって、いわばフリーズされる。この実施の形態の変形形態の場合には、少なくとも１つの前もって設定された許容限界を超える画像の場合に表示が、次々と撮影される複数の画像に次の現在撮影された画像が続行する前に少なくとも、好ましくは設定可能な、継続時間のあいだ止まる。表示を止めるための継続時間は、例えば５〜１５秒、特に１０秒であることができる。
【００２２】
その評価された画像によって該画像が該画像の判定すべき品質に関しての許容限界を超えていることがわかった印刷画像０４は、該システムに接続されているマーキング装置（示されていない）を用いて標識付けすることができ、および／または運搬装置（示されていない）によって排除することができ、その場合、評価ユニット０２が許容限界の超過が確認された場合にマーキング装置による印刷画像０４の標識付けおよび／または運搬装置による排除が自動的に開始されるように該システムを設定することができ、これは評価ユニット０２が例えばその出力にて相応の制御コマンドを中断することによって行なわれる。この制御コマンドを開始させるための条件は、好ましくは前記表示面０８にて選択可能でありかつ設定可能である。
【００２３】
好ましくは表示面０８上に第３の区域１２が用意されており、その場合、この第３の区域１２は少なくとも評価ユニット０２の名称および／または現在印刷機０６で処理されているジョブを表示する。同様に第３の区域１２にも例えば、現在のジョブに印刷過程に関連する該ジョブのパラメータの変化が起きたか否かを表示させることができる。
【００２４】
表示面０８は第４の区域１３を有していてもよく、その場合、この第４の区域１３は少なくとも１つのメニューを有し、このメニューは選択されると開くメニュー構造を有し、このメニュー構造は評価ユニット０２の操作および／または設定のための、および／または印刷機０６の操作および／または設定のための少なくとも１つの機能を有する。表示面０８の第４の区域１３にてメニューから選択可能な項目は、従って例えば、印刷機０６を用いて処理すべき新たなジョブの調整あるいは現行のジョブにおける処理および変化に関連し、その際、表示面０８の第２の区域１１は該メニューで行なわれた選択に応じて、評価ユニット０２の設定および／または操作のための、および／または印刷機０６の設定および／または操作のための入力フィールド１６；１７および／または操作フィールド１８；１９の固定された順序をプリセット（ｖｏｒｇｉｂｔ）する。このようにして利用者は、このシステムおよび／または印刷機０６で設定すべき機能に関して導かれ、これはその所望の機能に必要な全ての設定が矛盾なく順次問い合されることによって行なわれ、その際、ある次の問い合せはその前の問い合せに対する応答が前提になっている。
【００２５】
記憶装置２６に記憶された画像は、例えば表示面０８の第４の区域１３に表示されたメニューを用いて同様に選択可能であり、かつ表示面０８の第１の区域０９に表示させることが可能である。
【００２６】
第４の区域１３にてメニューで選択可能なもう１つの機能が例えば、印刷機０６により得られた印刷画像０４の品質を判定するための１つ以上の許容限界を規定することまたは該システムをその機能を規則的に止めることによって停止させることであることであってもよく、その場合、後者は好ましくは印刷機０６の停止状態の場合にのみ実施可能であり、かつその実施は該システムにより相応のメッセージによって表示される。許容限界を確定することができる判定すべき品質特徴について評価ユニット０２に多くの種々の感度段階、例えば５〜２０感度段階、特に１０感度段階、を登録することは有利であり、その場合、適当な感度段階は第４の区域１３に表示されるメニューおよび／または第２の区域１１における入力フィールド１６；１７および／または操作フィールド１８；１９を用いて選択可能でありかつ該システムのために設定可能である。
【００２７】
さらに表示面０８上に第５の区域１４が用意されていてもよく、その場合、この第５の区域１４は評価ユニット０２および／または印刷機０６の少なくとも１つの状態を表示する。この第５の区域１４における状態表示は、例えばピクトグラムの形で行なうことができる。
【００２８】
表示面０８が第１の区域０９と第２の区域１１を隣り合せに配置してかつ５つの区域０９；１１；１２；１３；１４のうちの少なくとも２つ、好ましくは全ての５つの区域０９；１１；１２；１３；１４、を同時に示す場合が有利である。その場合には表示面０８は第３の区域１２を該表示面の上縁部に、第４の区域１３を第３の区域１２の下に、第５の区域１４を該表示面の下縁部に、かつ第１の区域０９と第２の区域１１を第４の区域１３と第５の区域１４の間に表示することができる。第３、第４および第５の区域１２；１３；１４は好ましくはそれぞれセル形に形成されており、その場合、表示面０８は少なくとも第４の区域１３および第５の区域１４を継続的に表示する。
【００２９】
好ましくは、表示面０８の少なくとも第１の区域０９はビデオ機能をもって（ｖｉｄｅｏｆａｅｈｉｇ）形成されており、かつ一続きの矢継ぎ早に次々と続いて来る数多くの画像を表示することが可能である。従って表示面０８の第１の区域０９は、被印刷体０７に印刷された印刷画像０４または被印刷体０７に印刷された印刷画像０４の少なくとも部分の、画像センサ０３を用いて相次いで撮影される画像を、印刷機に対して位置固定された画像センサ０３によって全体的もしくは少なくとも部分的に撮影される印刷画像０４が被印刷体０７の運搬速度に基づいて画像センサ０３の撮像範囲２３を通過するように、一続きに相次いで表示することが可能である。従って表示面０８の第１の区域０９の像再生周波数は、画像センサ０３の撮像周波数と少なくとも同じ大きさである。被印刷体０７の運搬速度に応じて、毎秒例えば５つ以上の印刷画像０４を表示面０８の第１の区域０９に表示させることができる。印刷画像０４のこのフィルム様の表示には、毎秒数多くの画像という表示速度において個々の印刷画像０４は印刷機０６のオペレータにはもはや不連続には検査不可能である場合でさえ、例えば色収差がその傾向に基づいてすばやく認識可能となるという利点がある。一続きの複数の印刷画像０４の表示によって、相次いで印刷される印刷画像０４のどの範囲でこのような色収差が生じているのかが同様に視覚化され、その結果、インキング装置がそのインキングにてゾーン的に追従制御されることができる。インキング装置のインキ出し調整ねじ（Ｚｏｎｅｎｓｃｈｒａｕｂｅｎ）のこのように開始される調整は、これまた短時間後に印刷機のオペレータには表示面０８の第１の区域０９を流れる複数の印刷画像０４のフィルムにて色収差における傾向の後退によって識別可能である。ビデオ機能のために、表示面０８の殊に電子制御装置は、ビデオ信号を処理しかつ表示させることができるように形成されていなければならない。このために該制御装置は例えば十分な大きさの信号帯域幅を高速度で処理することができなければならない。
【００３０】
表示面０８は評価ユニット０２および／または印刷機０６の操作および／または設定のための少なくとも１つのタッチセンス式のフィールドを有し、その場合、殊に第２の区域１１内で評価ユニット０２の設定および／または操作のための、および／または印刷機０６の設定および／または操作のための入力フィールド１６；１７および／または操作フィールド１８；１９がタッチセンス式のフィールドとして形成されている。従って表示面０８は好ましくはタッチスクリーンとして形成されている。
【００３１】
表示装置０１および／または評価ユニット０２は、その有利な実施の形態の場合には少なくとも２つの操作モードを有し、その場合、これら操作モードは、表示面０８の異なる構成が、および／またはその範囲が、即ち、表示面０８に示される表示の殊に数が、および／または評価ユニット０２および／または印刷機０６の操作および／または設定の範囲が異なっている。現在設定されている操作モードから、評価ユニット０２および／または印刷機０６の操作および／または設定および／または表示に関してより大きな範囲の操作モードへの変更は好ましくは正当性の証明に依存し、その場合、この証明は例えばパスワードまたは利用者の識別のための特徴を内容とし、かつ該システムにはテストのための入力によって伝達されることができる。表示面０８に表示される入力フィールド１６；１７および／または操作フィールド１８；１９の順序もまた現在設定されている操作モードに依存する可能性があり、なぜならば例えば１つの特定の操作モードで許可される入力フィールド１６；１７および／または操作フィールド１８；１９がこの操作モードでは好ましくはさしあたってまったく表示されないかまたはロックされ、そのことによってその他の場合にはこの入力フィールド１６；１７および／または操作フィールド１８；１９に関連する機能が実施可能ではないからである。これら操作モードは例えば、ある操作モードの場合には印刷ジョブの実施のためにのみ必要な機能が表示され、その一方でもう１つの操作モードの場合には例えば、画像センサ０３の設定および印刷機０６の設定にまで至る該システムの全体的な設定が変更可能であることで異なっている。
【００３２】
同じく評価ユニット０２は好ましくは、少なくとも１つの基準画像の探求および／または確定のための学習モードならびに現在撮影された画像と基準画像との比較のための作業モードを有し、その場合、表示装置０１はその第１の区域０９に、評価ユニット０２により実施された検査で確定された基準画像からの偏差を表示する。学習モードで評価すべき印刷画像０４の数は表示面０８にて入力可能かつ変更可能に設定可能であることができる。学習モードの終了後に該システムは好ましくは自動的に作業モードへと変わることができる。
【００３３】
該システム殊に表示面０８が入力フィールド１６；１７および／または操作フィールド１８；１９における故意でなくか、もしくは誤って行なわれた入力および／または表示面０８の第４の区域１３に表示されたメニューからの誤った選択を取消もしくは消去するための機能を有する場合は有利である。記憶装置２６に記憶された、もはや必要とされないデータもまた全体的もしくは部分的に、例えばある特定の操作フィールド１８；１９の操作によって消去可能である。
【００３４】
表示面０８は殊にその第５の区域１４に、現在のジョブで印刷機０６によって既に生産された全ての印刷画像０４の数および／または良好と判定された印刷画像０４の数を例えば表示することができる。例えば表示面０８の第４の区域１３に表示可能なメニューで呼出し可能な統計機能は、個々の画像および／または複数の画像に関する情報を表示することができる。これら情報は記憶装置２６に好ましくは時間を限定して記憶させることができ、および／または該システムに入力可能な指示に基づいて、評価ユニット０２に接続されたプリンタ（示されていない）に伝送可能でありかつ該プリンタでプリントアウト可能である。
【００３５】
ここで説明した機能、殊に表示面０８に関連する機能を実施するために評価ユニット０２に、複雑なデータ構造を交換するために形成されているプロセス間通信のための方法を支援するオペレーティングシステムが備えられていることが好ましい。例えばオペレーティングシステムとしてＷｉｎｄｏｗｓ  ＮＴ４．０（登録商標）（もしくはそれ以上）またはＷｉｎｄｏｗｓ  ２０００（登録商標）（もしくはそれ以上）を備えていることができ、かつＣＯＭ（Ｃｏｍｍｏｎ  Ｏｂｊｅｃｔ  Ｍｏｄｅｌ）／ＤＣＯＭ（Ｄｉｓｔｒｉｂｕｔｅｄ  Ｃｏｍｐｏｎｅｎｔ  Ｏｂｊｅｃｔ  Ｍｏｄｅｌ）−スタンダード（Ｓｔａｎｄａｒｄ）による通信が行なわれることができる。
【図面の簡単な説明】
【００３６】
【図１】本発明の一実施形態に係る印刷画像を検査するためのシステムのブロック構成図。
【符号の説明】
【００３７】
０１  表示装置
０２  評価ユニット、計算機
０３  画像センサ、カラーカメラ、固体カメラ、フラットカメラ、ラインカメラ
０４  印刷画像
０５  −
０６  印刷機
０７  被印刷体、枚葉紙、巻取材料、巻取紙
０８  表示面
０９  区域，第１
１０  −
１１  区域，第２
１２  区域，第３
１３  区域，第４
１４  区域，第５
１５  −
１６  入力フィールド
１７  入力フィールド
１８  操作フィールド
１９  操作フィールド
２０  −
２１  ブランケット胴
２２  圧胴
２３  撮像範囲
２４  データ伝送リンク、データ線
２５  −
２６  記憶装置
２７  データ伝送リンク、データ線
２８  データ伝送リンク
２９  アクチュエータ
３０  −
３１  データ伝送リンク、データ線
３２  −
３３  光学装置、対物レンズ
Ａ  軸
Ｂ  幅
Ｐ  生産方向
Ｔ  運搬方向
Ｕ  円周
【図１】
2006525145.tif 000003
【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、評価ユニット（０２）が、許容限界を確定することができる判定すべき印刷画像（０４）の品質特徴について多くの種々の感度段階を有し、その際、適当な感度段階が該第２の区域（１１）における入力フィールド（１６；１７）および／または操作フィールド（１８；１９）を用いて設定可能であることを特徴とする、印刷画像を検査するためのシステム。
【請求項２】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示し、その際、評価ユニット（０２）は少なくとも１つの基準画像の探求および／または確定のための学習モードならびに現在撮影された画像と基準画像との比較のための作業モードを有し、その場合、表示装置（０１）はその第１の区域（０９）に基準画像からの偏差を表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、表示面（０８）の第２の区域（１１）にて学習モードで評価すべき印刷画像（０４）の数が設定可能であることを特徴とする、印刷画像を検査するためのシステム。
【請求項３】
印刷画像（０４）を検査するためのシステムであって、その際、該システムは少なくとも評価ユニット（０２）、表示装置（０１）および画像センサ（０３）を有し、その際、画像センサ（０３）は印刷画像（０４）を少なくとも部分的に複写する画像を撮影し、その際、この複写された印刷画像（０４）は、印刷機（０６）によって被印刷体（０７）上に得られた一続きの印刷画像（０４）に属し、その際、評価ユニット（０２）は撮影された画像と相関のあるデータを受け取り、かつ少なくとも１つの前もって撮影された画像もしくは基準画像の記憶されたデータと比較して評価し、その際、表示装置（０１）は、評価ユニット（０２）によりさまざまに制御可能な複数の区域（０９；１１；１２；１３；１４）を伴ったグラフィック機能をもつ表示面（０８）を有し、その際、第１の区域（０９）は現在撮影された画像、前もって撮影された複数の画像のうちの１つまたは基準画像を選択的に表示する、印刷画像を検査するためのシステムにおいて、表示装置（０１）がその表示面（０８）に評価ユニット（０２）の設定および／または操作および／または印刷機（０６）の設定および／または操作のための少なくとも１つの入力フィールド（１６；１７）および／または操作フィールド（１８；１９）をもつ第２の区域（１１）を表示し、その際、第１の区域（０９）と第２の区域（１１）が表示面（０８）に同時に表示されており、その際、表示装置（０１）が第１の区域（０９）に一続きのすばやく次々と続いて来る数多くの画像を表示し、その際、表示面（０８）がその第１の区域（０９）にて現在撮影された複数の画像を次々と表示しかつ、現在撮影された１つの画像が該画像の判定すべき品質に関しての少なくとも１つの前もって設定された許容限界を超えると直ちにこの表示を止めることを特徴とする、印刷画像を検査するためのシステム。
【請求項４】
表示装置（０１）がその表示面（０８）に第３の区域（１２）を有し、その際、この第３の区域（１２）が少なくとも評価ユニット（０２）の名称および／または現在印刷機（０６）で処理されているジョブを表示することを特徴とする、請求項１，２または３記載のシステム。
【請求項５】
表示装置（０１）がその表示面（０８）に第４の区域（１３）を有し、その際、この第４の区域（１３）が少なくとも１つのメニューを有し、このメニューは選択されると開くメニュー構造を有し、このメニュー構造は評価ユニット（０２）の操作および／または設定および／または印刷機（０６）の操作および／または設定のための少なくとも１つの機能を有することを特徴とする、請求項４記載のシステム。
【請求項６】
表示装置（０１）がその表示面（０８）に第５の区域（１４）を有し、その際、この第５の区域（１４）が評価ユニット（０２）および／または印刷機（０６）の少なくとも１つの状態を表示することを特徴とする、請求項５記載のシステム。
【請求項７】
表示面（０８）が第１の区域（０９）と第２の区域（１１）を隣り合せに配置して表示することを特徴とする、請求項１，２または３記載のシステム。
【請求項８】
表示面（０８）が該表示面のさまざまに制御可能な区域（０９；１１；１２；１３；１４）を同時に表示することを特徴とする、請求項１，２または４から７までのいずれか１項に記載のシステム。
【請求項９】
表示面（０８）が第３の区域（１２）を該表示面の上縁部に、第４の区域（１３）を第３の区域（１２）の下に、第５の区域（１４）を該表示面の下縁部に、かつ第１の区域（０９）と第２の区域（１１）を第４の区域（１３）と第５の区域（１４）の間に表示することを特徴とする、請求項５記載のシステム。
【請求項１０】
第３、第４および第５の区域（１２；１３；１４）がそれぞれセル形に形成されていることを特徴とする、請求項６記載のシステム。
【請求項１１】
少なくとも第１の区域（０９）がビデオ機能を有することを特徴とする、請求項１，２または３記載のシステム。
【請求項１２】
表示装置（０１）が第１の区域（０９）に一続きのすばやく次々と続いて来る数多くの画像を表示することを特徴とする、請求項１または２記載のシステム。
【請求項１３】
表示面（０８）が少なくとも第４の区域（１３）および第５の区域（１４）を継続的に表示することを特徴とする、請求項６記載のシステム。
【請求項１４】
表示面（０８）が評価ユニット（０２）および／または印刷機（０６）の操作および／または設定のための少なくとも１つのタッチセンス式のフィールドを有することを特徴とする、請求項１，２または３記載のシステム。
【請求項１５】
表示装置（０１）および／または評価ユニット（０２）が少なくとも２つの操作モードを有し、その際、これら操作モードは表示面（０８）の異なる構成が、および／または評価ユニット（０２）および／または印刷機（０６）の表示および／または操作および／または設定の範囲が異なっていることを特徴とする、請求項１，２または３記載のシステム。
【請求項１６】
現在設定されている操作モードからその表示に関してより大きな範囲の操作モードへの変更が正当性の証明に依存することを特徴とする、請求項１５記載のシステム。
【請求項１７】
評価ユニット（０２）が少なくとも１つの基準画像の探求および／または確定のための学習モードならびに現在撮影された画像と基準画像との比較のための作業モードを有し、その場合、表示装置（０１）はその第１の区域（０９）に基準画像からの偏差を表示することを特徴とする、請求項１または３記載のシステム。
【請求項１８】
表示面（０８）の第２の区域（１１）にて学習モードで評価すべき印刷画像（０４）の数が設定可能であることを特徴とする、請求項１７記載のシステム。
【請求項１９】
評価ユニット（０２）が学習モードの終了後に自動的に作業モードへと変わることを特徴とする、請求項２または１７記載のシステム。
【請求項２０】
記憶装置（２６）が備えられており、その際、該記憶装置（２６）は撮影された複数の画像の少なくとも部分のデータを記憶することを特徴とする、請求項１，２または３記載のシステム。
【請求項２１】
記憶装置（２６）に記憶された画像が選択可能であり、かつ表示面（０８）の第１の区域（０９）に表示可能であることを特徴とする、請求項２０記載のシステム。
【請求項２２】
表示面（０８）が、印刷機（０６）に付属する制御場所の構成要素であることを特徴とする、請求項１，２または３記載のシステム。
【請求項２３】
表示面（０８）の第４の区域（１３）にてメニューから選択可能な機能が、印刷機（０６）を用いて処理すべき新たなジョブの調整あるいは現行のジョブにおける処理および変化に関連することを特徴とする、請求項５記載のシステム。
【請求項２４】
表示面（０８）の第２の区域（１１）がメニューで行なわれた選択に応じて、評価ユニット（０２）の設定および／または操作のための、および／または印刷機（０６）の設定および／または操作のための入力フィールド（１６；１７）および／または操作フィールド（１８；１９）の固定された順序をプリセットすることを特徴とする、請求項２３記載のシステム。
【請求項２５】
表示面（０８）に表示される入力フィールド（１６；１７）および／または操作フィールド（１８；１９）の順序が、現在設定されている操作モードに依存することを特徴とする、請求項２４記載のシステム。
【請求項２６】
入力フィールド（１６；１７）および／または操作フィールド（１８；１９）における誤って行なわれた入力および／または表示面（０８）の第４の区域（１３）に表示されたメニューからの誤った選択が取消し可能であることを特徴とする、請求項１，２，３または５記載のシステム。
【請求項２７】
表示面（０８）が少なくとも１つの情報の表示に色を有することを特徴とする、請求項１，２または３記載のシステム。
【請求項２８】
表示面（０８）が種々の情報の表示に種々の色を有することを特徴とする、請求項２７記載のシステム。
【請求項２９】
表示面（０８）がその第１の区域（０９）にて現在撮影された複数の画像を次々と表示しかつ、現在撮影された１つの画像が該画像の判定すべき品質に関しての少なくとも１つの前もって設定された許容限界を超えると直ちにこの表示を止めることを特徴とする、請求項１または２記載のシステム。
【請求項３０】
表示面（０８）がその第１の区域（０９）にて現在撮影された複数の画像の表示を一定の継続時間の経過後に続行することを特徴とする、請求項２９記載のシステム。
【請求項３１】
前記継続時間が設定可能であることを特徴とする、請求項３０記載のシステム。
【請求項３２】
評価ユニット（０２）が、許容限界を確定することができる判定すべき印刷画像（０４）の品質特徴について多くの種々の感度段階を有し、その際、適当な感度段階が第２の区域（１１）における入力フィールド（１６；１７）および／または操作フィールド（１８；１９）を用いて設定可能であることを特徴とする、請求項２または３記載のシステム。
【請求項３３】
感度段階が第２の区域（１１）における入力フィールド（１６；１７）および／または操作フィールド（１８；１９）を用いて選択可能であることを特徴とする、請求項１または３２記載のシステム。
【請求項３４】
５〜２０感度段階が用意されていることを特徴とする、請求項１または３２記載のシステム。
【請求項３５】
適当な感度段階が第２の区域（１１）における該感度段階の選択および設定に対して選択的もしくは補完的に、第４の区域（１３）に表示されるメニューを用いて選択可能でありかつ該システムのために設定可能であることを特徴とする、請求項５記載のシステム。
【請求項３６】
マーキング装置が該システムに接続されており、その際、評価ユニット（０２）が、判定すべき印刷画像（０４）の品質についての許容限界の超過が確認された場合に該マーキング装置による該印刷画像（０４）の標識付けを開始することを特徴とする、請求項１，２または３記載のシステム。
【請求項３７】
運搬装置が該システムに接続されており、その際、評価ユニット（０２）が、判定すべき印刷画像（０４）の品質についての許容限界の超過が確認された場合に該運搬装置による該印刷画像（０４）の排除を開始することを特徴とする、請求項１，２または３記載のシステム。
【請求項３８】
前記開始のための条件が表示面（０８）にて設定可能であることを特徴とする、請求項３６または３７記載のシステム。
【請求項３９】
前記開始のための条件が表示面（０８）にて選択可能であることを特徴とする、請求項３８記載のシステム。
【手続補正２】
【補正対象書類名】明細書
【補正対象項目名】全文
【補正方法】変更
【補正の内容】
【発明の詳細な説明】
【技術分野】
【０００１】
本発明は、請求項１，２または３の上位概念による印刷画像を検査するためのシステムに関する。
【背景技術】
【０００２】
欧州特許出願公開第０  ５５４  ８１１Ａ１号によって印刷機における印刷エラーもしくはその他のエラーを検知するための装置が公知であり、その場合、印刷過程の出口に解像度が異なる少なくとも２台のカメラが巻取紙もしくは枚葉紙の生産方向に前後して配置されており、かつ該カメラのそれぞれの出力信号をコンピュータに伝送し、その場合、該コンピュータにはディスプレイおよびキーボードが接続されており、その場合、生産方向における第１のカメラ、好ましくはその撮像が印刷機の生産速度に同期されているラインカメラ、またはこれに続く第２のカメラ、好ましくはＣＣＤフラットカメラ（ＣＣＤ−Ｆｌａｅｃｈｅｎｋａｍｅｒａ）、より粗い解像度を有し、その場合、生産方向における第１のカメラにより撮影された、巻取紙もしくは枚葉紙の印刷されていないか均一な色で印刷されたゾーンの画像を、生産方向における第２のカメラが生産方向に対して横向きのその移動によって、これらゾーンがもはや全体的に把握されるのではなく、生産方向における第１のカメラによって既にエラーを検出されているゾーンにおける高い解像度でこれら画像が撮影されるように制御し、その場合、第１のカメラもしくは第２のカメラにより撮影された各画像はディスプレイに表示可能でありかつキーボードの操作によってそれぞれ前もって入力された基準画像と比較可能である。
【０００３】
欧州特許出願公開第１  ２９１  ７６７Ａ２号によって印刷機を操作するためのシステムが公知であり、その場合、２つの異なるアプリケーションが該印刷機に割り当てられたモニタ上の２つの異なる大きさのウィンドウに同時に表示されており、その場合、これらウィンドウの１つに印刷用原稿の原本が表示されており、そして他方のウィンドウに印刷機の操作のための機能が表示されている。
【０００４】
米国特許第２００２／００２９７０３Ａ１号によって印刷機を制御するための装置が公知であり、その場合、印刷過程に関連する種々の制御情報および状況情報がパーソナルコンピュータのモニタに表示されており、その場合、印刷ページに関連する状況情報がシンボルの形で表示されている。
【０００５】
独国特許出願公開第４３  ２１  １７９Ａ１号によって印刷技術による機械の運転過程を制御もしくは調整するための方法および装置が公知であり、その場合、少なくとも１つの撮像装置が印刷物の表面に向けられており、その場合、該撮像装置が該印刷物の表面を再現するその画像情報を制御−および調整回路に送り、かつその場合、該制御−および調整回路に接続されたディスプレイに選択的に個別にかもしくは部分画像の形で基準画像、実際画像および差分画像が表示可能であり、その場合、該制御回路の比較装置により探求された、基準画像からの実際画像の許容され得ない偏差の場合に誤差信号が出力可能である。
【０００６】
ヘルムート・テシュナー（Ｈｅｌｍｕｔ  Ｔｅｓｃｈｎｅｒ）著の専門書“オフセットドルックテヒニク（Ｏｆｆｓｅｔｄｒｕｃｋｔｅｃｈｎｉｋ）”，第１０版，１９９７，ファッハシュリフテンフェアラーク（Ｆａｃｈｓｃｈｒｉｆｔｅｎｖｅｒｌａｇ）刊，フェルバッハ（Ｆｅｌｌｂａｃｈ），ＩＳＢＮ  ３−９２１２１７−１４−８にはそのｐ．１０／１０８〜１０／１１７にコントロールセンタ“ハイデルベルク（Ｈｅｉｄｅｌｂｅｒｇ）ＣＰＣ”の実施が記載されている。このコントロールセンタは、印刷機で生産される印刷物の品質監視および品質管理のための計算機援用システムに属する。このコントロールセンタは制御卓の形でかまたは該コントロールセンタに付属するキーボード等の形で、印刷機に取り付けられたインキ出し調節システム（Ｆａｒｂｄｏｓｉｅｒｓｙｓｔｅｍ）を制御するための多くの種々の操作要素を有する。前記品質管理は、濃度計によりまたは分光光度計により行なわれる。このコントロールセンタによりプリンタには、流れ生産から抜き取られた印刷サンプルを検査しかつ操作要素の操作によって必要であると見なされる補正を実施する可能性がもたらされる。
【発明の開示】
【発明が解決しようとする課題】
【０００７】
本発明の課題は、印刷画像を検査するためのシステムを提供することである。
【課題を解決するための手段】
【０００８】
この課題は、本発明によれば請求項１，２または３の特徴によって解決される。
【０００９】
本発明によって達成することができる利点は殊に、流れ生産中にサンプルの抜き取りなく作動する、そのパラメータ表示およびその操作インターフェース（Ｂｅｄｉｅｎｕｎｇｓｏｂｅｒｆｌａｅｃｈｅ）にて柔軟にかつ特定用途向けに、好ましくは表示面に組み込まれた入力補助手段（Ｅｉｎｇａｂｅｈｉｌｆｓｍｉｔｔｅｌ）を用いるだけで設定可能でありかつ取り扱いが快適である、印刷画像を検査するためのシステムが提供されることである。そのつどの利用者グループに必要な全ての情報が、明瞭に構造化されてかつ一目でわかりやすく同一の表示面上に表示される。該システムは簡単に制御および調整の課題の実施のために拡張可能である。該システムによる検査中に検出された、印刷機で生産された印刷画像の品質における欠陥は、表示され、好ましくは記録され、かつ必要の場合に該システムによって自動的にこの欠陥のある印刷画像の標識付けまたは排除が行なわれる。
【００１０】
本発明の実施例が図面に示されており、次にこれを詳説する。
【発明を実施するための最良の形態】
【００１１】
唯一の図にはきわめて簡略化された図で表示装置０１、評価ユニット０２、画像センサ０３および、印刷機０６を用いて被印刷体０７上に付与された複数の印刷画像０４が示されている。この印刷機０６は例えば、少なくとも１つの印刷機構を有する輪転印刷機として形成されており、その際、この印刷機構は少なくとも１つの版を有する少なくとも１つの印刷胴（示されていない）および該印刷胴と一緒に作用するブランケット胴２１を有する。このブランケット胴２１は、その軸Ａに対して平行な圧胴２２と向い合わせに据えられており、その場合、この圧胴２２は第２のブランケット胴として形成されていてもよく、このブランケット胴自体は該ブランケット胴に割り当てられた少なくとも１つの別の印刷胴（示されていない）と一緒に作用する。この図に示された例の場合にはブランケット胴２１は一回転ごとにその円周Ｕの方向に２つの印刷画像０４を続けて転写し、その際、その軸方向には３つの印刷画像０４が並べて配置されており、その結果、ブランケット胴２１の一回転ごとにその生産方向Ｐに、運搬方向Ｔにブランケット胴２１と圧胴２２の間を通過させて導かれる被印刷体０７上に合計して６つの印刷画像０４が付与される。
【００１２】
被印刷体０７は、例えば枚葉紙０７または巻取材料（Ｍａｔｅｒｉａｌｂａｈｎ）０７、特に巻取紙０７、である。この場合には印刷機０６は連続的な巻取材料０７上に運搬方向Ｔに相次ぐ一続きの印刷画像０４を印刷するかまたは該印刷機は一続きの枚葉紙０７にそれぞれ少なくとも１つの印刷画像０４を印刷し、その際、これら枚葉紙０７が運搬方向Ｔに運搬される。
【００１３】
画像センサ０３、例えばカラーカメラ０３、特に少なくとも１つのＣＣＤチップを有するディジタル固体カメラ０３はその撮像範囲２３を被印刷体０７に向けており、その際、画像センサ０３の撮像範囲２３は被印刷体０７上に付与された印刷画像０４を少なくとも部分的に複写する。画像センサ０３は例えば、印刷機０６の、被印刷体０７の運搬方向Ｔに最後の印刷機構の出口に配置されている。画像センサ０３は例えば、被印刷体０７の幅Ｂ全体を捕捉し、その場合、被印刷体０７の幅Ｂは該被印刷体の運搬方向Ｔに対して横向きに延びている。画像センサ０３は印刷画像０４の少なくとも部分の、しかしながら好ましくは印刷された被印刷体０７の幅Ｂ全体の、電子的に評価可能な画像を提供し、その際、被印刷体０７の幅Ｂに沿って少なくとも１つの印刷画像０４が被印刷体０７上に付与されている。画像センサ０３は、所望の撮像範囲２３の捕捉に適当な光学装置３３、殊に対物レンズ３３、をそれぞれ有するフラットカメラ０３またはラインカメラ０３として形成されている。画像センサ０３の選択的な装置は、印刷機構のすぐ近くのこの画像センサではなく、それら印刷機０６の１つの後に取り付けられた、該印刷機０６により生産された印刷画像０４を運搬および／または処理する装置または機械（示されていない）が配置されていることである。
【００１４】
殊にプログラム制御される電子計算機０２として形成されておりかつ例えば印刷機０６に属する制御場所に配置されている評価ユニット０２は、撮影された画像と相関のあるデータを画像センサ０３が評価ユニット０２に伝送するかまたは少なくとも呼び出し可能に準備しておくことによって、データ伝送リンク２４、例えばデータ線２４、を経由して該データを受け取る。評価ユニット０２では撮影された画像と相関のあるデータは、その画像が表示装置０１の表示面０８に表示されることができるように処理される。表示装置０１および評価ユニット０２が双方向のデータ伝送リンク３１すなわちデータ線３１を介して相互に接続されているのは好ましい。画像センサ０３、評価ユニット０２および表示装置０１は、被印刷体０７上に施与された印刷画像０４の少なくとも部分を検査するための１つのシステムを一緒に形成している。しかしながら、このシステムの機能は、次になお説明するように制御および調整の課題へも拡張させることができる。
【００１５】
評価ユニット０２には記憶装置２６が割り当てられており、この記憶装置には撮影された複数の画像の少なくとも部分のデータおよび／または撮影された一画像の部分全体にわたるデータを記憶させることができる。記憶されたデータ、少なくとも特定の一画像のデータは、次々と現在撮影された画像のデータと比較する際の基準として使用される。評価ユニット０２と記憶装置２６間の接続は、双方向のデータ伝送リンク２７、例えばデータ線２７である。
【００１６】
評価ユニット０２で実施される、現在撮影された画像のデータと前もって撮影された画像もしくは記憶された基準画像のデータとの比較によって、連続する印刷過程において、例えば相次いで撮影される画像０４における階調上昇を確定することができ、および／または該比較によってどの程度まで印刷画像の見当合せの正しさが得られているか、すなわち第一面刷りと裏刷の間あるいはまた両面印刷物が作製される場合の表側と裏側間の印刷画像または版面の位置における合同の一致を探求することができる。同様にこの比較によってレジスターマークを検査可能である、すなわち、多色印刷の場合の重ね刷り時に各単色が示す前もって設定された精度を検査可能である。階調上昇、見当精度ならびにレジスターマーク精度は、多色刷りにおいて重要な役割を果たす。
【００１７】
さらに印刷画像０４は、該印刷画像０４の特徴を示す識別用の特徴に基づいて、識別用の特徴単独かもしくは識別用の特徴と組み合わせた印刷画像０４と基準画像との比較により、識別用の特徴もしくは識別用の特徴と組み合わせた印刷画像０４が識別用の特徴もしくは印刷画像０４のある特定の等級に属するか否か、識別用の特徴がある特定の幾何学的な輪郭および／または少なくとも１つのさらに別の識別用の特徴に対するある特定の相対的な配置を示すか否かという趣旨で検査されることによって、品質的に判定することができる。この検査は好ましくは誤り許容に進行する、すなわち許容限界の考慮下に判定が行なわれる。
【００１８】
この実施すべき検査が評価ユニット０２で並行するルーチンで、かつ従って実質的に同時に実施される場合は有利である。検査の結果は、検査の基準となる基準値からの現在撮影されかつ検査された画像で確認された偏差を補正するために、制御コマンドの開始に利用することができる。従って評価ユニット０２に少なくとも１つの出力が備えられていてもよく、この出力からデータ伝送リンク２８を経由して制御コマンドが、印刷過程に影響を及ぼす、印刷機０６におけるアクチュエータ２９に伝送される。このようなアクチュエータ２９は例えば、該印刷機構に属するインキング装置もしくは湿し装置、円周方向の見当、横方向の見当または、印刷胴の少なくとも１つに割り当てられたブランケット胴２１に対する印刷胴のための対角調整（Ｄｉａｇｏｎａｌｖｅｒｓｔｅｌｌｕｎｇ）に関連して備えられている。評価ユニット０２の出力は、画像センサ０３のための照明装置（示されていない）、例えば閃光電球を導通状態にするか、作動させるかまたは作動停止させるかに利用することもできる。
【００１９】
表示装置０１は、評価ユニット０２により個別に制御可能な、窓状の複数の区域０９；１１；１２；１３；１４を伴ったグラフィック機能をもつ表示面０８を有し、その場合、第１の区域０９は現在撮影された画像、前もって撮影された画像または基準画像を選択的に表示し、第２の区域１１は少なくとも１つの入力フィールド１６；１７および／または操作フィールド１８；１９を評価ユニット０２の設定および／または操作のために、および／または印刷機０６の設定および／または操作のために有する。入力フィールド１６；１７および／または操作フィールド１８；１９を用いて、このシステムが少なくとも１つのパラメータに関して設定可能であり、および／または該システムにより行なわれる機能が呼び出し可能であり、および／または評価ユニット０２により中断（ａｂｓｅｔｚｅｎ）すべき制御コマンドが該システムに入力可能であるかもしくは前もって設定された多くの制御コマンドのなかから選択可能である。
【００２０】
例えば印刷機０６に付属する制御場所の構成要素である表示面０８に、その構造化によって相互に無関係に操作可能な、すなわち評価ユニット０２によって種々の情報内容を用いて同時に制御可能な区域０９；１１；１２；１３；１４、一目でわかりかつ快適に使用可能なユーザインターフェースが得られ、このユーザインターフェース上では少なくとも印刷画像０４の検査のために重要な情報が表示され、その際、該システムへの少なくとも１つの指示によって現在表示される情報に反応するために同じ表示面０８上で区域０９；１１；１２；１３；１４のうちの少なくとも１つに同時に少なくとも１つの操作要素が定められており、その場合、この指示は、少なくとも１つの基準値からの確認された偏差に対して効果があるという意味で、印刷機０６により実施される過程に影響を及ぼす。表示面０８上での情報の表示に色、殊に種々の情報のために種々の色、を使用することは有利である。
【００２１】
表示装置０１および評価ユニット０２は、第１の区域０９に次々と現在撮影された画像が表示されるように形成されていることができる。現在撮影された画像によって、複写された印刷画像０４が、該印刷画像の判定すべき品質に関しての少なくとも１つの前もって設定された許容限界を超えていることがわかると直ちに、この画像の表示が、次々と撮影される複数の画像の表示が止まることによって、いわばフリーズされる。この実施の形態の変形形態の場合には、少なくとも１つの前もって設定された許容限界を超える画像の場合に表示が、次々と撮影される複数の画像に次の現在撮影された画像が続行する前に少なくとも、好ましくは設定可能な、継続時間のあいだ止まる。表示を止めるための継続時間は、例えば５〜１５秒、特に１０秒であることができる。
【００２２】
その評価された画像によって該画像が該画像の判定すべき品質に関しての許容限界を超えていることがわかった印刷画像０４は、該システムに接続されているマーキング装置（示されていない）を用いて標識付けすることができ、および／または運搬装置（示されていない）によって排除することができ、その場合、評価ユニット０２が許容限界の超過が確認された場合にマーキング装置による印刷画像０４の標識付けおよび／または運搬装置による排除が自動的に開始されるように該システムを設定することができ、これは評価ユニット０２が例えばその出力にて相応の制御コマンドを中断することによって行なわれる。この制御コマンドを開始させるための条件は、好ましくは前記表示面０８にて選択可能でありかつ設定可能である。
【００２３】
好ましくは表示面０８上に第３の区域１２が用意されており、その場合、この第３の区域１２は少なくとも評価ユニット０２の名称および／または現在印刷機０６で処理されているジョブを表示する。同様に第３の区域１２にも例えば、現在のジョブに印刷過程に関連する該ジョブのパラメータの変化が起きたか否かを表示させることができる。
【００２４】
表示面０８は第４の区域１３を有していてもよく、その場合、この第４の区域１３は少なくとも１つのメニューを有し、このメニューは選択されると開くメニュー構造を有し、このメニュー構造は評価ユニット０２の操作および／または設定のための、および／または印刷機０６の操作および／または設定のための少なくとも１つの機能を有する。表示面０８の第４の区域１３にてメニューから選択可能な項目は、従って例えば、印刷機０６を用いて処理すべき新たなジョブの調整あるいは現行のジョブにおける処理および変化に関連し、その際、表示面０８の第２の区域１１は該メニューで行なわれた選択に応じて、評価ユニット０２の設定および／または操作のための、および／または印刷機０６の設定および／または操作のための入力フィールド１６；１７および／または操作フィールド１８；１９の固定された順序をプリセット（ｖｏｒｇｉｂｔ）する。このようにして利用者は、このシステムおよび／または印刷機０６で設定すべき機能に関して導かれ、これはその所望の機能に必要な全ての設定が矛盾なく順次問い合されることによって行なわれ、その際、ある次の問い合せはその前の問い合せに対する応答が前提になっている。
【００２５】
記憶装置２６に記憶された画像は、例えば表示面０８の第４の区域１３に表示されたメニューを用いて同様に選択可能であり、かつ表示面０８の第１の区域０９に表示させることが可能である。
【００２６】
第４の区域１３にてメニューで選択可能なもう１つの機能が例えば、印刷機０６により得られた印刷画像０４の品質を判定するための１つ以上の許容限界を規定することまたは該システムをその機能を規則的に止めることによって停止させることであることであってもよく、その場合、後者は好ましくは印刷機０６の停止状態の場合にのみ実施可能であり、かつその実施は該システムにより相応のメッセージによって表示される。許容限界を確定することができる判定すべき品質特徴について評価ユニット０２に多くの種々の感度段階、例えば５〜２０感度段階、特に１０感度段階、を登録することは有利であり、その場合、適当な感度段階は第４の区域１３に表示されるメニューおよび／または第２の区域１１における入力フィールド１６；１７および／または操作フィールド１８；１９を用いて選択可能でありかつ該システムのために設定可能である。
【００２７】
さらに表示面０８上に第５の区域１４が用意されていてもよく、その場合、この第５の区域１４は評価ユニット０２および／または印刷機０６の少なくとも１つの状態を表示する。この第５の区域１４における状態表示は、例えばピクトグラムの形で行なうことができる。
【００２８】
表示面０８が第１の区域０９と第２の区域１１を隣り合せに配置してかつ５つの区域０９；１１；１２；１３；１４のうちの少なくとも２つ、好ましくは全ての５つの区域０９；１１；１２；１３；１４、を同時に示す場合が有利である。その場合には表示面０８は第３の区域１２を該表示面の上縁部に、第４の区域１３を第３の区域１２の下に、第５の区域１４を該表示面の下縁部に、かつ第１の区域０９と第２の区域１１を第４の区域１３と第５の区域１４の間に表示することができる。第３、第４および第５の区域１２；１３；１４は好ましくはそれぞれセル形に形成されており、その場合、表示面０８は少なくとも第４の区域１３および第５の区域１４を継続的に表示する。
【００２９】
好ましくは、表示面０８の少なくとも第１の区域０９はビデオ機能をもって（ｖｉｄｅｏｆａｅｈｉｇ）形成されており、かつ一続きの矢継ぎ早に次々と続いて来る数多くの画像を表示することが可能である。従って表示面０８の第１の区域０９は、被印刷体０７に印刷された印刷画像０４または被印刷体０７に印刷された印刷画像０４の少なくとも部分の、画像センサ０３を用いて相次いで撮影される画像を、印刷機に対して位置固定された画像センサ０３によって全体的もしくは少なくとも部分的に撮影される印刷画像０４が被印刷体０７の運搬速度に基づいて画像センサ０３の撮像範囲２３を通過するように、一続きに相次いで表示することが可能である。従って表示面０８の第１の区域０９の像再生周波数は、画像センサ０３の撮像周波数と少なくとも同じ大きさである。被印刷体０７の運搬速度に応じて、毎秒例えば５つ以上の印刷画像０４を表示面０８の第１の区域０９に表示させることができる。印刷画像０４のこのフィルム様の表示には、毎秒数多くの画像という表示速度において個々の印刷画像０４は印刷機０６のオペレータにはもはや不連続には検査不可能である場合でさえ、例えば色収差がその傾向に基づいてすばやく認識可能となるという利点がある。一続きの複数の印刷画像０４の表示によって、相次いで印刷される印刷画像０４のどの範囲でこのような色収差が生じているのかが同様に視覚化され、その結果、インキング装置がそのインキングにてゾーン的に追従制御されることができる。インキング装置のインキ出し調整ねじ（Ｚｏｎｅｎｓｃｈｒａｕｂｅｎ）のこのように開始される調整は、これまた短時間後に印刷機のオペレータには表示面０８の第１の区域０９を流れる複数の印刷画像０４のフィルムにて色収差における傾向の後退によって識別可能である。ビデオ機能のために、表示面０８の殊に電子制御装置は、ビデオ信号を処理しかつ表示させることができるように形成されていなければならない。このために該制御装置は例えば十分な大きさの信号帯域幅を高速度で処理することができなければならない。
【００３０】
表示面０８は評価ユニット０２および／または印刷機０６の操作および／または設定のための少なくとも１つのタッチセンス式のフィールドを有し、その場合、殊に第２の区域１１内で評価ユニット０２の設定および／または操作のための、および／または印刷機０６の設定および／または操作のための入力フィールド１６；１７および／または操作フィールド１８；１９がタッチセンス式のフィールドとして形成されている。従って表示面０８は好ましくはタッチスクリーンとして形成されている。
【００３１】
表示装置０１および／または評価ユニット０２は、その有利な実施の形態の場合には少なくとも２つの操作モードを有し、その場合、これら操作モードは、表示面０８の異なる構成が、および／またはその範囲が、即ち、表示面０８に示される表示の殊に数が、および／または評価ユニット０２および／または印刷機０６の操作および／または設定の範囲が異なっている。現在設定されている操作モードから、評価ユニット０２および／または印刷機０６の操作および／または設定および／または表示に関してより大きな範囲の操作モードへの変更は好ましくは正当性の証明に依存し、その場合、この証明は例えばパスワードまたは利用者の識別のための特徴を内容とし、かつ該システムにはテストのための入力によって伝達されることができる。表示面０８に表示される入力フィールド１６；１７および／または操作フィールド１８；１９の順序もまた現在設定されている操作モードに依存する可能性があり、なぜならば例えば１つの特定の操作モードで許可される入力フィールド１６；１７および／または操作フィールド１８；１９がこの操作モードでは好ましくはさしあたってまったく表示されないかまたはロックされ、そのことによってその他の場合にはこの入力フィールド１６；１７および／または操作フィールド１８；１９に関連する機能が実施可能ではないからである。これら操作モードは例えば、ある操作モードの場合には印刷ジョブの実施のためにのみ必要な機能が表示され、その一方でもう１つの操作モードの場合には例えば、画像センサ０３の設定および印刷機０６の設定にまで至る該システムの全体的な設定が変更可能であることで異なっている。
【００３２】
同じく評価ユニット０２は好ましくは、少なくとも１つの基準画像の探求および／または確定のための学習モードならびに現在撮影された画像と基準画像との比較のための作業モードを有し、その場合、表示装置０１はその第１の区域０９に、評価ユニット０２により実施された検査で確定された基準画像からの偏差を表示する。学習モードで評価すべき印刷画像０４の数は表示面０８にて入力可能かつ変更可能に設定可能であることができる。学習モードの終了後に該システムは好ましくは自動的に作業モードへと変わることができる。
【００３３】
該システム殊に表示面０８が入力フィールド１６；１７および／または操作フィールド１８；１９における故意でなくか、もしくは誤って行なわれた入力および／または表示面０８の第４の区域１３に表示されたメニューからの誤った選択を取消もしくは消去するための機能を有する場合は有利である。記憶装置２６に記憶された、もはや必要とされないデータもまた全体的もしくは部分的に、例えばある特定の操作フィールド１８；１９の操作によって消去可能である。
【００３４】
表示面０８は殊にその第５の区域１４に、現在のジョブで印刷機０６によって既に生産された全ての印刷画像０４の数および／または良好と判定された印刷画像０４の数を例えば表示することができる。例えば表示面０８の第４の区域１３に表示可能なメニューで呼出し可能な統計機能は、個々の画像および／または複数の画像に関する情報を表示することができる。これら情報は記憶装置２６に好ましくは時間を限定して記憶させることができ、および／または該システムに入力可能な指示に基づいて、評価ユニット０２に接続されたプリンタ（示されていない）に伝送可能でありかつ該プリンタでプリントアウト可能である。
【００３５】
ここで説明した機能、殊に表示面０８に関連する機能を実施するために評価ユニット０２に、複雑なデータ構造を交換するために形成されているプロセス間通信のための方法を支援するオペレーティングシステムが備えられていることが好ましい。例えばオペレーティングシステムとしてＷｉｎｄｏｗｓ  ＮＴ４．０（登録商標）（もしくはそれ以上）またはＷｉｎｄｏｗｓ  ２０００（登録商標）（もしくはそれ以上）を備えていることができ、かつＣＯＭ（Ｃｏｍｍｏｎ  Ｏｂｊｅｃｔ  Ｍｏｄｅｌ）／ＤＣＯＭ（Ｄｉｓｔｒｉｂｕｔｅｄ  Ｃｏｍｐｏｎｅｎｔ  Ｏｂｊｅｃｔ  Ｍｏｄｅｌ）−スタンダード（Ｓｔａｎｄａｒｄ）による通信が行なわれることができる。
【図面の簡単な説明】
【００３６】
【図１】本発明の一実施形態に係る印刷画像を検査するためのシステムのブロック構成図。
【符号の説明】
【００３７】
０１  表示装置
０２  評価ユニット、計算機
０３  画像センサ、カラーカメラ、固体カメラ、フラットカメラ、ラインカメラ
０４  印刷画像
０６  印刷機
０７  被印刷体、枚葉紙、巻取材料、巻取紙
０８  表示面
０９  区域，第１
１１  区域，第２
１２  区域，第３
１３  区域，第４
１４  区域，第５
１６  入力フィールド
１７  入力フィールド
１８  操作フィールド
１９  操作フィールド
２１  ブランケット胴
２２  圧胴
２３  撮像範囲
２４  データ伝送リンク、データ線
２６  記憶装置
２７  データ伝送リンク、データ線
２８  データ伝送リンク
２９  アクチュエータ
３１  データ伝送リンク、データ線
３３  光学装置、対物レンズ
Ａ  軸
Ｂ  幅
Ｐ  生産方向
Ｔ  運搬方向
Ｕ  円周
【国際調査報告】
2006525145.tif 000004
2006525145.tif 000005
2006525145.tif 000006
2006525145.tif 000007
2006525145.tif 000008
2006525145.tif 000009
2006525145.tif 000010
2006525145.tif 000011